(57)【要約】【課題】  液口に対する取り付け取り外しが道具を必要とすることなしに容易かつ迅速に行うことができるバッテリー液口栓の提供。【解決手段】  開閉操作体４の下方側には該開閉操作体４を中空筒体２１内に押し込むことにより係合片２３の内向き突出部２５に当接して該係合片２３を外向きに押し広げて係合突部２４を液口１１の内側開口縁部に係合させた状態に維持させる凸部４２と、さらに開閉操作体４を中空筒体２１内に押し込むことにより係合片２３の内向き突出部２５に対する凸部４２の当接状態が解除されて液口１１の内側開口縁部１１ｂに対する係合突部２４の係合維持状態が解除される凹部４３が凸部４２の上部に備えられている構成。【選択図】        図４
2008226538.tif 000002
【特許請求の範囲】
【請求項１】
バッテリーの上蓋液口内に差し込み可能な中空筒体の上端開口縁部外周に前記液口の外側開口縁部に係止可能なフランジ部が備えられた外筒と、該外筒の中空筒体内にシールリングを介して摺動自在に差し込まれた開閉操作体とが備えられ、
前記中空筒体の下端側には半径方向に拡開可能な係合片が備えられ、該係合片の中途部外周には前記外筒をフランジ部のばね性に抗して前記液口内に押し込むことにより前記液口の内側開口縁部に係合可能な位置に係合突部を備えると共に下端部には内向き突出部が備えられ、
前記開閉操作体の下方側には該開閉操作体を前記中空筒体内に押し込むことにより前記係合片の内向き突出部に当接して該係合片を外向きに押し広げて前記係合突部を前記液口の内側開口縁部に係合させた状態に維持させる凸部と、さらに前記開閉操作体を前記中空筒体内に押し込むことにより前記係合片の内向き突出部に対する前記凸部の当接状態が解除されて前記液口の内側開口縁部に対する前記係合突部の係合維持状態が解除される凹部が前記凸部の上部に備えられていることを特徴とするバッテリー液口栓。
【請求項２】
前記フランジ部はその外周縁部側が前記液口の外側開口縁部に当接することで前記中空筒体の軸線方向においてばね性を有していることを特徴とする請求項１に記載のバッテリー液口栓。
【請求項３】
前記係合片が前記中空筒体の周方向所定間隔のもとに複数備えられていることを特徴とする請求項１または２に記載のバッテリー液口栓。
【請求項４】
前記開閉操作体の凸部が前記係合片の内向き突出部に係合した状態で該開閉操作体の上端面が前記外筒における中空筒体の上端開口縁部と略一致するように構成されていることを特徴とする請求項１〜３のいずれか一項に記載のバッテリー液口栓。
【請求項５】
前記開閉操作体の凸部が前記係合片の内向き突出部の係合状態を維持させる係合溝状に形成されていることを特徴とする請求項１〜４のいずれか一項に記載のバッテリー液口栓。
【請求項６】
前記開閉操作体の凸部の下方には前記係合片の内向き突出部を該凸部に案内する下側テーパ面が形成されていることを特徴とする請求項１〜５のいずれか一項に記載のバッテリー液口栓。
【請求項７】
前記開閉操作体の凸部の上方には前記係合片の内向き突出部を前記凹部から凸部に案内する上側テーパ面が形成されていることを特徴とする請求項１〜６のいずれか一項に記載のバッテリー液口栓。
【請求項８】
前記開閉操作体の下端部には前記係合片の内向き突出部が係合して前記開閉操作体の抜けを阻止するストッパが備えられていることを特徴とする請求項１〜７のいずれか一項に記載のバッテリー液口栓。
【請求項９】
前記外筒のフランジ部の裏面内周部にシールリングが備えられていることを特徴とする請求項１〜８のいずれか一項に記載のバッテリー液口栓。
【発明の詳細な説明】
【技術分野】
【０００１】
本発明は、バッテリー液口栓に関する。
【背景技術】
【０００２】
従来、バッテリーの液口栓を開ける方式として、コインをマイナスドライバーと見立てて、液口栓のねじを緩める、所謂コインドライブ式（例えば、特許文献１参照）と、液口栓を指で摘んで液口栓を緩める、所謂フィンガードライブ式（例えば、特許文献２参照）が知られている。
【特許文献１】特開２００２−３１３３１７号公報
【特許文献２】特開平１０−２２３２０６号公報
【発明の開示】
【発明が解決しようとする課題】
【０００３】
しかしながら、上述の従来の技術にあっては、以下に述べるような問題点があった。
【０００４】
即ち、コインドライブ式では、コイン若しくはそれ同等の道具が必要になると共に、力の加え方により、液口栓の溝を壊す虞がある。
【０００５】
また、フィンガードライブ式では、液口栓を取り外す際、指が痛くなったり、取り外せなかったりする場合があると共に、摘み部がバッテリーの上面に多数突出するため、見栄えが悪い。
【０００６】
本発明は、上述のような従来の問題点に着目して成されたもので、液口に対する取り付け取り外しが道具を必要とすることなしに容易かつ迅速に行うことができるバッテリー液口栓を提供することを目的としている。
【課題を解決するための手段】
【０００７】
上述の目的を達成するために、本願請求項１に記載のバッテリー液口栓は、バッテリーの上蓋液口内に差し込み可能な中空筒体の上端開口縁部外周に前記液口の外側開口縁部に係止可能なフランジ部が備えられた外筒と、該外筒の中空筒体内にシールリングを介して摺動自在に差し込まれた開閉操作体とが備えられ、
前記フランジ部はその外周縁部側が前記液口の外側開口縁部に当接することで前記中空筒体の軸線方向においてばね性を有し、
前記中空筒体の下端側には半径方向に拡開可能な係合片が備えられ、該係合片の中途部外周には前記外筒をフランジ部のばね性に抗して前記液口内に押し込むことにより前記液口の内側開口縁部に係合可能な位置に係合突部を備えると共に下端部には内向き突出部が備えられ、
前記開閉操作体の下方側には該開閉操作体を前記中空筒体内に押し込むことにより前記係合片の内向き突出部に当接して該係合片を外向きに押し広げて前記係合突部を前記液口の内側開口縁部に係合させた状態に維持させる凸部と、さらに前記開閉操作体を前記中空筒体内に押し込むことにより前記係合片の内向き突出部に対する前記凸部の当接状態が解除されて前記液口の内側開口縁部に対する前記係合突部の係合維持状態が解除される凹部が前記凸部の上部に備えられていることを特徴とする手段とした。
【発明の効果】
【０００８】
請求項１に記載のバッテリー液口栓では、上述のように、開閉操作体の下方側には該開閉操作体を中空筒体内に押し込むことにより係合片の内向き突出部に当接して該係合片を外向きに押し広げて係合突部を液口の内側開口縁部に係合させた状態に維持させる凸部が備えられることで、外筒の中空筒体をバッテリーの液口内に差し込んで、開閉操作体を中空筒体内に押し込むことにより、凸部が係合片の内向き突出部に当接して係合片が外向きに押し広げられ、これにより、係合突部を液口の内側開口縁部に係合された状態に維持させることができる。
【０００９】
また、凹部が前記凸部の上部に備えられることで、開閉操作体を中空筒体内にさらに押し込むと、前記係合片の内向き突出部に対する前記凸部の当接状態が解除され、これにより、液口の内側開口縁部に対する係合突部の係合維持状態が解除されるため、液口から液口栓を抜き取ることができるようになる。
【００１０】
従って、液口に対する取り付け取り外しが道具を必要とすることなしに容易かつ迅速に行うことができるようになるという効果が得られる。
【発明を実施するための最良の形態】
【００１１】
以下に、本発明の実施例を図面に基づいて説明する。
【実施例１】
【００１２】
この実施例のバッテリー液口栓は、請求項１〜９に記載の発明に対応する。
【００１３】
図１はこの実施例のバッテリー液口栓を示す縦断面図、図２は実施例のバッテリー液口栓を示す平面、図３は実施例のバッテリー液口栓における外筒の斜視図、図４は実施例のバッテリー液口栓の作用説明図である。
【００１４】
この実施例のバッテリー液口栓は、外筒２と、シールリング３と、開閉操作体４と、を備えている。
【００１５】
上記外筒２は、バッテリー上蓋１の液口１１内に差し込み可能な中空筒体２１の上端開口縁部外周に、液口１１の外側開口縁部１１ａに係止可能なフランジ部２２が備えられている。
【００１６】
上記フランジ部２２は、その外周縁部側が液口１１の外側開口縁部１１ａに当接させることで中空筒体２１の軸線方向においてばね性を有している。そして、外筒２１のフランジ部２２の裏面内周部にシールリング３が備えられていて、フランジ部２２のばね性に抗して外筒２を液口１１内へ押し込むことにより、フランジ部２２の裏面と液口１１の外側開口縁部との間がシールされるようになっている。
【００１７】
また、上記中空筒体２１の下方側には、半径方向に拡開可能な係合片２３が中空筒体２１の周方向一定間隔のもとに４本延設されている。
【００１８】
この係合片２３の中途部外周には、外筒２をフランジ部２２のばね性に抗して液口１１内に押し込むことにより液口１１の内側開口縁部１１ｂに係合可能な位置に断面山形の係合突部２４が形成されると共に、下端部には内向き突出部２５が形成されている。
【００１９】
上記開閉操作体４は、その本体部４１が外筒２の中空筒体２１内にシールリング５を介して摺動自在に差し込まれることにより、中空筒体２１の中空孔が閉じられるようになっている。そして、この本体部４１内には、電解液の溢液を防止する防爆フィルター（図示を省略）が組み込まれ、本体部４１の上面にはこの防爆フィルターを経由してバッテリー内と連通する排気小孔４１ａが形成されている。
【００２０】
また、開閉操作体４における本体部４１の下方側には、該開閉操作体４の本体部４１を中空筒体２１内に押し込むことにより、係合片２３の内向き突出部２５に当接して該係合片２３を外向きに押し広げ、係合突部２４を液口１１の内側開口縁部１１ｂに係合させた状態に維持させる環状の凸部４２が備えられている。そして、この凸部４２は、係合片２３の内向き突出部２５の係合状態を維持させるように環状の係合溝状に形成されている。
【００２１】
また、上記環状の凸部４２の上部には、開閉操作体４をさらに中空筒体２１内に押し込むことにより、係合片２３の内向き突出部２５に対する凸部４２の当接状態が解除されて液口１１の内側開口縁部１１ｂに対する係合突部２４の係合維持状態が解除される環状の凹部４３が形成されている。
【００２２】
また、開閉操作体４の下端部には、係合片２３の内向き突出部２５が係合して前記開閉操作体の上方への抜けを阻止する環状のストッパ４４が備えられている。
【００２３】
また、開閉操作体４の凸部４２とストッパ４４との間には、係合片２３の内向き突出部２５を該凸部４２に案内する円錐状の下側テーパ面４５が形成されると共に、凸部４２と環状の凹部４３との間には、係合片２３の内向き突出部２５を凹部４３から凸部４２に案内する円錐状の上側テーパ面４６が形成されている。
【００２４】
そして、開閉操作体４の凸部４２が係合片２３の内向き突出部２５に係合した状態で該開閉操作体４の上端面が外筒２における中空筒体２１の上端開口縁部と略一致するように構成されている。
【００２５】
この液口栓は上述のように構成されるため、図１に示すように、開閉操作体４を中空筒体２１内に押し込んで、ストッパ４４の上面に係合片２３の内向き突出部２５を係止させることにより、外筒２に対し開閉操作体４の上方への抜けが阻止された状態に組み付けられている。そして、この状態では、中空筒体２１の上端開口縁部より開閉操作体４における本体部４１の上部が突出した状態になっている。
【００２６】
次に、実施例の作用・効果について説明する。
まず、作用を図４に基づいて説明する。
【００２７】
この実施例のバッテリー液口栓では、上述のように構成されるため、図４（イ）に示すように、まず、フランジ部２２の外周縁部裏面がバッテリー上蓋１における液口１１の外側開口縁部１１ａに当接するまで外筒２の中空筒体２１をバッテリー上蓋１の液口１１内に差し込む。この状態では、各係合突部２４は、内側開口縁部１１ｂには係合していない。
【００２８】
次に、図４（ロ）に示すように、開閉操作体４を中空筒体２１内に押し込むと同時に中空筒体２１をフランジ部２２のばね性に抗して押し込むことにより、各係合突部２４が内側開口縁部１１ｂに係合すると共に、各係合片２３の内向き突出部２５が下側テーパ面４５に沿って外側に徐々に押し広げられて環状の係合溝状に形成された凸部４２に係合当接し、これにより、各係合突部２４が液口１１の内側開口縁部１１ｂに係合された状態に維持される。
【００２９】
なお、中空筒体２１をフランジ部２２のばね性に抗して押し込むことにより、シールリング３が押し潰され、これにより、中空筒体２１と液口１１との間がシールされた状態になる。
【００３０】
次に、図４（ハ）に示すように、開閉操作体４を中空筒体２１内にさらに押し込むと、各係合片２３の内向き突出部２５に対する凸部４２の当接状態が解除され、上側テーパ面４６に沿って凹部４３まで移動するため、外側に押し広げられていた各係合片２３が内側に戻り、液口１１の内側開口縁部１１ｂに対する各係合突部２４の係合維持状態が解除されるため、液口１１から液口栓を抜き取ることができるようになる。
【００３１】
以上詳細に説明してきたように、この実施例のバッテリー液口栓では、開閉操作体４の下方側には該開閉操作体４を中空筒体２１内に押し込むことにより係合片２３の内向き突出部２５に当接して該係合片２３を外向きに押し広げて係合突部２４を液口１１の内側開口縁部に係合させた状態に維持させる凸部４２と、さらに開閉操作体４を中空筒体２１内に押し込むことにより係合片２３の内向き突出部２５に対する凸部４２の当接状態が解除されて液口１１の内側開口縁部１１ｂに対する係合突部２４の係合維持状態が解除される凹部４３が凸部４２の上部に備えられている構成としたことで、液口に対する取り付け取り外しが道具を必要とすることなしに容易かつ迅速に行うことができるようになるという効果が得られる。
【００３２】
また、フランジ部２２は、その外周縁部側が液口１１の外側開口縁部１１ａに当接させることで中空筒体２１の軸線方向においてばね性を有し、外筒２１のフランジ部２２の裏面内周部にシールリング３が備えられていて、フランジ部２２のばね性に抗して外筒２を液口１１内へ押し込むことにより、フランジ部２２の裏面と液口１１の外側開口縁部との間がシールされるようしたことで、シールリング３によるシールが確実に行えるようになる。
【００３３】
また、係合片２３が中空筒体２１の周方向一定間隔のもとに４箇所に備えられることで、安定した取り付け状態が得られる。
【００３４】
また、開閉操作体４の凸部４２が係合片２３の内向き突出部２５に係合した状態で該開閉操作体４の上端面が外筒２における中空筒体２１の上端開口縁部と略一致するように構成されたことで、開閉操作体４を中空筒体２１内に押し込むと同時に中空筒体２１をフランジ部２２のばね性に抗して押し込む操作に順番やタイミングを考えることなしに、ワンタッチで取り付けることができるようになる。
【００３５】
開閉操作体４の凸部４２が係合片２３の内向き突出部２５の係合状態を維持させる係合溝状に形成されたことで、開閉操作体４の抜けを確実に防止することができるようになる。
【００３６】
また、開閉操作体４の凸部４２の下方には各係合片２３の内向き突出部２５を該凸部４２に案内する下側テーパ面４５が形成されたことで、各係合片２３の内向き突出部２５をスムーズに凸部４２まで案内することができるようになる。
【００３７】
また、開閉操作体４の凸部４２の上方には各係合片２３の内向き突出部２５を凹部４３から凸部４２に案内する上側テーパ面４６が形成されたことで、各内向き突出部２５が凹部４３の位置にある状態（図４（ハ）参照）から、図１に示す
初期状態に戻す操作が容易に行えるようになる。
【００３８】
また、開閉操作体４の下端部には各係合片２３の内向き突出部２５が係合してストッパ４４が備えられることで、初期状態における開閉操作体４の上方への抜けを阻止することができる。
【００３９】
以上、本発明の実施例を図面に基づき説明してきたが、本発明は上述の実施例に限られるものではなく、本発明の要旨を逸脱しない範囲の設計変更等があっても、本発明に含まれる。
【００４０】
例えば、実施例では、係合片２３が中空筒体２１の周方向一定間隔のもとに４本延設されている場合を例に採ったが、その本数は任意である。
【図面の簡単な説明】
【００４１】
【図１】実施例のバッテリー液口栓を示す縦断面図である。
【図２】実施例のバッテリー液口栓を示す平面図である。
【図３】実施例のバッテリー液口栓を示す底面図である。
【図４】実施例のバッテリー液口栓の作用説明図である。
【符号の説明】
【００４２】
１  バッテリー上蓋
１１  液口
１１ａ  外側開口縁部
１１ｂ  内側開口縁部
２  外筒
２１  中空筒体
２２  フランジ部
２３  係合片
２４  係合突部
２５  内向き突出部
３  シールリング
４  開閉操作体
４１  本体部
４１ａ  排気小孔
４２  凸部
４３  凹部
４４  ストッパ
４５  下側テーパ面
４６  上側テーパ面
５  シールリング
【図１】
2008226538.tif 000003
【図２】
2008226538.tif 000004
【図３】
2008226538.tif 000005
【図４】
2008226538.tif 000006